(57)【要約】【課題】より少ない設備投資で番組数を増やすことができる映像伝送システム及び方法を提供すること。【解決手段】各種のデジタル映像データ等をデジタルデータ合成器１で合成し、合成されたデータを載せたキャリアを変調器２で変調する。変調されたキャリアは、同様に変調された他のキャリアと共にキャリア合成器３で合成し、既設のアナログＣＡＴＶシステムのヘッドエンド４を介して、既設のＣＡＴＶ網に配信する。【選択図】　　　図１
2004032290.tif 000002
【特許請求の範囲】
【請求項１】
複数のデジタル映像データを合成する第１の合成器と、
合成された複数のデジタル映像データをアナログＣＡＴＶの任意のチャンネルにおけるキャリアに載せると共に、当該キャリアを変調する変調器と、
前記変調された各キャリアを合成するための第２の合成器と、
前記第２の合成器により合成された各キャリアを各端末に配信するヘッドエンドを有することを特徴とする映像伝送システム。
【請求項２】
前記変調は６４ＱＡＭ方式によって行なわれることを特徴とする請求項１記載の映像伝送システム。
【請求項３】
複数のデジタル映像データ及び当該デジタル映像データ以外の複数のデジタルデータを合成する第１の合成器と、
前記合成された複数のデジタル映像データ及び複数のデジタルデータをアナログＣＡＴＶの任意のチャンネルにおけるキャリアに載せると共に、当該キャリアを変調する変調器と、
前記変調された各キャリアを合成するための第２の合成器と、
前記第２の合成器により合成された各キャリアを各端末に配信するヘッドエンドを有することを特徴とする映像伝送システム。
【請求項４】
前記デジタル映像データは、インターネットプロトコルに準拠した信号形式が用いられていることを特徴とする請求項１〜３のいずれかに記載の映像伝送システム。
【請求項５】
複数のデジタル映像データを合成する第１のステップと、
合成された複数のデジタル映像データをアナログＣＡＴＶの任意のチャンネルにおけるキャリアに載せると共に、当該キャリアを変調する第２のステップと、
前記変調された各キャリアを合成する第３のステップと、
前記第３のステップにより合成された各キャリアを各端末に配信するステップを有することを特徴とする映像伝送方法。
【請求項６】
前記変調は６４ＱＡＭ方式によって行なわれることを特徴とする請求項５記載の映像伝送方法。
【請求項７】
複数のデジタル映像データ及び当該デジタル映像データ以外の複数のデジタルデータを合成する第１のステップと、
前記合成された複数のデジタル映像データ及び複数のデジタルデータをアナログＣＡＴＶの任意のチャンネルにおけるキャリアに載せると共に、当該キャリアを変調する第２のステップと、
前記変調された各キャリアを合成する第３のステップと、
前記第３のステップにより合成された各キャリアを各端末に配信する第４のステップを有することを特徴とする映像伝送方法。
【請求項８】
前記デジタル映像データは、インターネットプロトコルに準拠した信号形式が用いられていることを特徴とする請求項５〜７のいずれかに記載の映像伝送方法。
【発明の詳細な説明】
【０００１】
【発明の属する技術分野】
本発明は、アナログＣＡＴＶシステムを変更すること無く、デジタル番組を配信することにより、配信される番組数を増やすことができる映像伝送システム及び方法に関する。
【０００２】
【従来の技術】
従来のアナログＣＡＴＶシステムは、システムの帯域が決まると、必然的に最大の番組数が決まるため、その最大番組数以上に番組数を増やすことができなかった。
【０００３】
【発明が解決しようとする課題】
ユーザニーズの多様化が言われる今日、ＣＡＴＶシステムにおいて番組数を増やすことは、加入者へのサービス向上と共に、事業拡大のためにも重要な要素である。既設のアナログＣＡＴＶシステムでは、システムの帯域により番組数は必然的に決まる。システムの帯域制限の中で、必然的に決まる最大番組数以上に番組数を増やす手段としては、システム自体のデジタル化等が考えられる。例えば、ＣＡＴＶにおいて多チャンネル化を実現するために全てのデータ信号をデジタル化し、映像データ信号を圧縮して多重化することにより番組数を増やす方法である。しかし、これはＣＡＴＶ局の設備投資費用が膨大となるため、実現困難である。
【０００４】
本発明の目的は、より少ない設備投資で番組数を増やすことができる映像伝送システム及び方法を提供することである。
【０００５】
【課題を解決するための手段】
本発明による映像伝送システムは、アナログＣＡＴＶシステムを変更することなく、デジタル映像データを配信することにより、ＣＡＴＶシステムのシステム帯域により必然的に決まる最大番組数を、それ以上に増やすことを特徴とする。
【０００６】
具体的には、本発明による映像伝送システムは、複数のデジタル映像データを合成する第１の合成器と、合成された複数のデジタル映像データをアナログＣＡＴＶの任意のチャンネルにおけるキャリアに載せると共に、当該キャリアを変調する変調器と、前記変調された各キャリアを合成するための第２の合成器と、前記第２の合成器により合成された各キャリアを各端末に配信するヘッドエンドを有することを特徴とする。
【０００７】
このような構成によって、アナログＣＡＴＶ業者は既存設備を変更することなく、番組数を大きく増やすことができるため、比較的少ない費用で加入者へのサービス向上と事業の拡大をできる効果が得られる。
【０００８】
【発明の実施の形態】
以下、本発明の一実施の形態について図面を参照して詳細に説明する。図１は本発明の映像伝送システムの一実施の形態を示す構成図である。図１において、１は各種のデジタル映像データ等を合成するデジタルデータ合成器、２は合成されたデジタル映像データ等を、アナログＣＡＴＶの任意のチャンネルにおけるキャリアに載せるための変調器、３は合成されたデジタル映像データ等によって変調された、それぞれアナログＣＡＴＶの第１〜第Ｎ（Ｎは２以上の整数）のチャンネルに対応した第１〜第Ｎ（Ｎは２以上の整数）キャリアを合成するためのキャリア合成器、４は既設のアナログＣＡＴＶのヘッドエンドである。
【０００９】
図２は図１にて、アナログＣＡＴＶの任意のチャンネルにおけるキャリアに載せられたデジタル映像データ等の状態を示したものである。図２に於いて、２１は合成された各種デジタル映像データ等によって変調されたアナログＣＡＴＶの任意のキャリアの状態を示した図であり、２２は２１と同様に変調されたアナログＣＡＴＶの任意の他のキャリアの状態を示した図である。
【００１０】
図１は本発明の映像伝送システムの構成を示した図である。図１に於いて、各種方式のデジタル映像データは、合成器１によって合成された後、変調器２によって、アナログＣＡＴＶの任意のチャンネルにおける各種方式のデジタル映像データを載せたキャリアを６４ＱＡＭ方式（６４値直交振幅変調）と呼ばれるデジタル変調技術によって変調する。
【００１１】
変調されたキャリアは、同様に変調された他のキャリアと、合成器３で合成され、既設のアナログＣＡＴＶのヘッドエンド４に送られ、ＣＡＴＶ網に配信される。尚、ここで配信されるデジタル映像データは、加入者の視聴制御や、番組の管理等の目的のために、インターネットプロトコルに準拠した信号形式を用いる。
【００１２】
このようにして、アナログＣＡＴＶの１つのチャンネルにおける一のキャリアに載せられたデジタル映像データ等は、従来ではアナログＣＡＴＶでは１つの映像信号しか配信することができないにもかかわらず、当該チャンネルにおける前記一のキャリアに複数のデジタル映像データを載せて配信することができる。
【００１３】
尚、本システムにおけるデジタル映像合成器は、デジタル映像データ以外に、番組表や受信機の設定情報のようなデータも合成することができる。アナログＣＡＴＶの１チャンネルに載せることのできるデジタル映像データ等の数は、全体の映像信号等による総ビットレートが２８Ｍｂｐｓ以内になるように決められている。つまり、１つのデジタル映像データ等のビットレートが１Ｍｂｐｓであれば、２８種類の映像等を配信することができる。従って、１つのデジタル映像データ等のビットレートを上げれば、配信されるデジタル映像データ等の数は減るし、逆に１つのデジタル映像データ等のビットレートを下げれば、配信されるデジタル映像データ等の数は増える。
【００１４】
次に本発明の他の実施の形態について説明する。上記実施の形態では、アナログＣＡＴＶの１チャンネル当たりに流すデジタル映像データ等の総ビットレートは２８Ｍｂｐｓとし、変調方式は６４ＱＡＭとしているが、画像品質等を考慮すれば、総ビットレートを２８Ｍｂｐｓにこだわるものでは無いし、変調方式も６４ＱＡＭにこだわるものではない。又、デジタル映像は必ずしもインターネットプロトコル形式でなくても、何等初期の目的を損なうものではない。
【００１５】
【発明の効果】
以上説明したように、本発明においては、アナログＣＡＴＶ事業者は既設設備をそのまま利用し、一部デジタル映像伝送システムを追加することにより、既設ＣＡＴＶ網に流す番組数を大きく増やすことができ、加入者へのサービス向上と事業の拡大ができる効果が得られる。
【００１６】
言い換えれば、アナログＣＡＴＶシステムにおいて、既設のシステムをそのまま利用し、一部デジタル映像伝送システムを付加することにより、少ない費用でＣＡＴＶシステムの番組数を大きく増やし、加入者へのサービス向上と事業拡大を行うことができる。
【図面の簡単な説明】
【図１】本発明の映像伝送システムの一実施の形態を示す図である。
【図２】図１の合成器３の出力の信号の状態を示す図である。
【符号の説明】
１　　デジタルデータ合成器
２　　変調器
３　　キャリア合成器
４　　ヘッドエンド
【図１】
2004032290.tif 000003
【図２】
2004032290.tif 000004